(57)【要約】【課題】移動体通信網において、移動端末が接続できないエリアに存在した場合でも、アクセスネットワークへの接続性を高め、継続してサービスを受けることができるネットワーク接続システムを提供する。【解決手段】ネットワーク接続システムは、アクセスネットワークを介してサービスエージェントからサービスを受ける移動端末と、アクセスネットワーク上のアクセスサービスサーバとを含んで構成される。移動端末は、自機が存在するアクセスネットワークを検知し接続可否を識別する接続可否識別手段と、接続不可と識別された場合、接続を可能にする機能をアクセスサービスサーバから取得する接続機能取得手段と、該機能を用いて接続不可のアクセスネットワークに接続するアクセスネットワーク接続手段とを有し、アクセスサービスサーバは、移動端末の要求に応じて接続不可のアクセスネットワークへの接続を可能にする機能を提供する接続機能提供手段を有する。【選択図】図１
2009171223.tif 000002
【特許請求の範囲】
【請求項１】
移動体通信ネットワークに存在するサービスエージェントからアクセスネットワークを介してサービスを受ける移動端末と、前記アクセスネットワーク上に設けられたアクセスサービスサーバとを含んで構成されるネットワーク接続システムであって、
前記移動端末は、
自機が存在するアクセスネットワークを検知して該アクセスネットワークへの接続可否を識別する接続可否識別手段と、
前記接続可否識別手段により前記アクセスネットワークへの接続が不可と識別された場合に、前記アクセスネットワークへの接続を可能にする機能を前記アクセスサービスサーバから取得する接続機能取得手段と、
前記接続機能取得手段により取得された前記機能を用いて、前記接続が不可と識別されたアクセスネットワークに接続するアクセスネットワーク接続手段と、を有し、
前記アクセスサービスサーバは、
前記移動端末の要求に応じて前記接続が不可と識別されたアクセスネットワークへの接続を可能にする機能を提供する接続機能提供手段を有することを特徴とするネットワーク接続システム。
【請求項２】
前記接続機能提供手段で提供される機能及び前記接続機能取得手段で取得される機能は、機能の有効期間を含む使用条件が定められた期限付接続機能であることを特徴とする請求項１に記載のネットワーク接続システム。
【請求項３】
前記接続機能取得手段は、前記アクセスサービスサーバから前記接続を可能にする機能をダウンロードして自動インストールを行うことを特徴とする請求項１又は２に記載のネットワーク接続システム。
【請求項４】
前記移動体通信ネットワークは、該ネットワークに所属する加入者の加入者情報及びサービス情報を含む情報を管理する管理サーバを含んで構成され、
前記管理サーバは、前記移動端末が前記接続を可能にする機能を取得した時間を前記サービス情報として管理することを特徴とする請求項１から３のいずれか１項に記載のネットワーク接続システム。
【請求項５】
前記移動体通信ネットワークは、該ネットワークに所属する加入者の認証を行う認証サーバを含んで構成され、
前記認証サーバは、前記移動端末が前記接続を可能にする機能を取得した時間を前記サービスエージェントへ通知し、
前記サービスエージェントは、前記認証サーバから通知された時間に基づいて、定められた有効期間だけサービス要求元の前記移動端末にサービスを提供することを特徴とする請求項１から４のいずれか１項に記載のネットワーク接続システム。
【請求項６】
前記サービスエージェントは、前記移動端末から要求されたサービスが提供可能か判定し、提供可能と判定した場合は自らが前記移動端末にサービスを提供し、提供不可と判定した場合は、別のネットワークに存在するサービスエージェントにサービス要求を行って前記移動端末にサービスを提供させることを特徴とする請求項１から５のいずれか１項に記載のネットワーク接続システム。
【請求項７】
前記移動体通信ネットワークは、マルチメディアセッションの確立を管理するコントロールサーバを含んで構成され、
前記コントロールサーバは、前記移動端末によるセッションを認可し、前記サービスエージェントに対して前記セッションに必要なリソースの確保を要求して、前記サービスエージェントからリソース確保可能の応答を受けた場合にユーザデータを送受信する設定を行うことを特徴とする請求項１から６のいずれか１項に記載のネットワーク接続システム。
【請求項８】
アクセスネットワークを介して移動体通信ネットワークからサービスを受ける移動端末であって、
自機が存在するアクセスネットワークを検知して該アクセスネットワークへの接続可否を識別する接続可否識別手段と、
前記接続可否識別手段により前記アクセスネットワークへの接続が不可と識別された場合に、前記アクセスネットワークへの接続を可能にする機能を前記アクセスネットワーク上に存在する前記アクセスサービスサーバから取得する接続機能取得手段と、
前記接続機能取得手段により取得された前記機能を用いて、前記接続が不可と識別されたアクセスネットワークに接続するアクセスネットワーク接続手段と、
を有することを特徴とする移動端末。
【請求項９】
前記接続機能取得手段で取得される機能は、機能の有効期間を含む使用条件が定められた期限付接続機能であることを特徴とする請求項８に記載の移動端末。
【請求項１０】
前記接続機能取得手段は、前記アクセスサービスサーバから前記接続を可能にする機能をダウンロードして自動インストールを行うことを特徴とする請求項８又は９に記載の移動端末。
【請求項１１】
アクセスネットワークを介して移動体通信ネットワークからサービスを受ける移動端末と接続され、前記アクセスネットワーク上に設けられたサーバであって、
前記移動端末が自機の存在するアクセスネットワークへの接続が不可と識別し、前記移動端末から前記アクセスネットワークへの接続を可能にする機能の要求があった場合に、前記アクセスネットワークへの接続を可能にする機能を前記移動端末に提供する接続機能提供手段を有することを特徴とするサーバ。
【請求項１２】
前記接続機能提供手段で提供される機能は、機能の有効期間を含む使用条件が定められた期限付接続機能であることを特徴とする請求項１１に記載のサーバ。
【請求項１３】
アクセスネットワークを介して移動体通信ネットワークからサービスを受ける移動端末と、前記アクセスネットワーク上に設けられたアクセスサービスサーバとを含んで構成されるネットワーク接続システムでのネットワーク接続方法であって、
前記移動端末において、自機の存在するアクセスネットワークを検知して該アクセスネットワークへの接続可否を識別する接続可否識別ステップと、
前記移動端末において、前記接続可否識別ステップにより前記アクセスネットワークへの接続が不可と識別された場合に、前記アクセスネットワークへの接続を可能にする機能の提供を前記アクセスサービスサーバに要求する接続機能要求ステップと、
前記アクセスサービスサーバにおいて、前記接続機能要求ステップにより要求された前記接続を可能にする機能の提供を応答する接続機能応答ステップと、
前記移動端末において、前記接続機能応答ステップによる応答の後に前記アクセスサービスサーバから前記接続を可能にする機能を取得する接続機能取得ステップと、
前記移動端末において、前記接続機能取得ステップにより取得した前記機能を用いて、前記接続が不可と識別されたアクセスネットワークに接続するアクセスネットワーク接続ステップと、
を有することを特徴とするネットワーク接続方法。
【請求項１４】
前記接続機能取得ステップにより取得される前記機能は、機能の有効期間を含む使用条件が定められた期限付接続機能であることを特徴とする請求項１３に記載のネットワーク接続方法。
【請求項１５】
前記接続機能取得ステップは、前記アクセスサービスサーバから前記接続を可能にする機能をダウンロードして自動インストールを行うことを特徴とする請求項１３又は１４に記載のネットワーク接続方法。
【請求項１６】
アクセスネットワークを介して移動体通信ネットワークからサービスを受ける移動端末と、前記アクセスネットワーク上に設けられたアクセスサービスサーバとを含んで構成されるネットワーク接続システムで用いられるプログラムであって、
前記移動端末においてコンピュータを、
自機が存在するアクセスネットワークを検知して該アクセスネットワークへの接続可否を識別する接続可否識別手段と、
前記接続可否識別手段により前記アクセスネットワークへの接続が不可と識別された場合に、前記アクセスネットワークへの接続を可能にする機能を前記アクセスサービスサーバから取得する接続機能取得手段と、
前記接続機能取得手段により取得された前記機能を用いて、前記接続が不可と識別されたアクセスネットワークに接続するアクセスネットワーク接続手段と、して機能させ、
前記アクセスサービスサーバにおいてコンピュータを、
前記移動端末の要求に応じて前記接続が不可と識別されたアクセスネットワークへの接続を可能にする機能を提供する接続機能提供手段として機能させることを特徴とするプログラム。
【請求項１７】
前記接続機能提供手段で提供される機能及び前記接続機能取得手段で取得される機能は、機能の有効期間を含む使用条件が定められた期限付接続機能であることを特徴とする請求項１６に記載のプログラム。
【請求項１８】
前記接続機能取得手段は、前記アクセスサービスサーバから前記接続を可能にする機能をダウンロードして自動インストールを行うことを特徴とする請求項１６又は１７に記載のプログラム。
【請求項１９】
請求項１６から１８のいずれか１項に記載のプログラムを記録しコンピュータ読み取り可能なことを特徴とする記録媒体。
【発明の詳細な説明】
【技術分野】
【０００１】
本発明は、ネットワーク接続システム、移動端末、サーバ、ネットワーク接続方法、プログラム、及び記録媒体に関し、特に、移動端末が移動体通信網との間に存在するアクセスネットワークに接続する際に好適に用いられる技術に関するものである。
【背景技術】
【０００２】
従来の移動体通信網の一例について図５を参照して説明する。認証サーバ３１、４１、５１は、ＩＭＳ網３０、ＩＰ網４０、３Ｇ網５０において、加入者情報、サービス情報、位置情報等の加入者に関する情報を管理する。移動端末１１は、３Ｇ網５０に接続するアクセスネットワーク（Ｒａｄｉｏ  Ａｃｃｅｓｓ）６０に接続可能な機能を保有する。移動端末１２は、ＩＰ網４０に接続するアクセスネットワーク（ＷＬＡＮ  Ａｃｃｅｓｓ）７０に接続可能な機能を保有する。
【０００３】
そして、マルチメディアセッションを確立する場合、３Ｇ対応の移動端末１１は、アクセスネットワーク（Ｒａｄｉｏ  Ａｃｃｅｓｓ）６０から３Ｇ網５０にアタッチしてＩＭＳ網３０にＩＮＶＩＴＥメッセージを送信してサービスを開始する。ＷＬＡＮ対応の移動端末１２は、アクセスネットワーク（ＷＬＡＮ  Ａｃｃｅｓｓ）７０からＩＰ網４０にアタッチしてＩＭＳ網３０にＩＮＶＩＴＥメッセージを送信してサービスを開始する。
【０００４】
しかしながら、上記の移動体通信網を利用するにあたっては次のような問題がある。まず第１に、移動体通信網に接続する場合、移動端末のアクセス可能なネットワークが限られるため、電波が届かないエリアに入ると利用していたサービスが継続して利用できなくなってしまうことである。そして第２に、新しいサービスを利用したい場合、そのサービスに対応した移動端末を購入しなければならないことである。
【０００５】
ところで、例えば特許文献１では、ユーザが複雑な設定を行うことなく通信端末を無線通信ネットワークに接続させる通信システムが開示されている。当該通信システムでは、携帯電話機が接続リンクに設定された無線ＬＡＮの接続設定情報に基づいて無線ＬＡＮの接続設定登録を実行し、携帯電話機は自機が無線ＬＡＮ通信可能エリアに在圏していると判断した場合に接続先をＷｅｂサーバからアクセスポイントに切り替える制御を行う。
【０００６】
また、例えば特許文献２では、複数の無線通信システムの中で移動端末の接続先を切り替える際に、移動端末に通知する利用可能な無線通信システムの情報の精度向上を図る無線通信支援システムが開示されている。当該無線通信支援システムでは、データベース装置が移動端末からの位置情報や接続中の無線通信システムの情報を記憶し、検索装置が移動端末の位置周辺にある利用可能な無線通信システムをデータベース装置から検索してリスト化し、該リストを移動端末に送信して利用可能な無線通信システムを通知している。
【特許文献１】特開２００５−２４４９３６号公報
【特許文献２】特開２００６−６０２９５号公報
【発明の開示】
【発明が解決しようとする課題】
【０００７】
上述したように、従来の移動体通信網では、移動端末がアクセスできるネットワークが限定されるため、アクセス可能なネットワークに電波が届かないエリアに移動するとサービスの切断やサービスが受けられないという事態が生じる。また、新しいサービスを使用したい場合、そのサービスに対応した移動端末を購入しなければサービスを受けられないという問題もある。
【０００８】
特許文献１で開示された通信システムは、接続可能な無線通信ネットワークへの接続をユーザでなく移動端末に行わせるものであり、接続不可のネットワークに接続させるための技術ではない。また、特許文献２で開示された無線通信支援システムは、複数の無線通信システムに接続可能な移動端末に対して利用可能な無線通信システムの情報を適切に通知するためのものであり、接続できないネットワークに接続するための技術ではない。
【０００９】
そこで、本発明は、移動体通信網において、移動端末が接続できないエリアに存在した場合でも、アクセスネットワークへの接続性を高め、継続してサービスを受けることができるネットワーク接続システム、移動端末、サーバ等を提供することを目的とする。
【課題を解決するための手段】
【００１０】
かかる目的を達成するために、本発明のネットワーク接続システムは、移動体通信ネットワークに存在するサービスエージェントからアクセスネットワークを介してサービスを受ける移動端末と、アクセスネットワーク上に設けられたアクセスサービスサーバとを含んで構成されるネットワーク接続システムであって、移動端末が、自機が存在するアクセスネットワークを検知してアクセスネットワークへの接続可否を識別する接続可否識別手段と、接続可否識別手段によりアクセスネットワークへの接続が不可と識別された場合に、アクセスネットワークへの接続を可能にする機能をアクセスサービスサーバから取得する接続機能取得手段と、接続機能取得手段により取得された機能を用いて、接続が不可と識別されたアクセスネットワークに接続するアクセスネットワーク接続手段と、を有し、アクセスサービスサーバが、移動端末の要求に応じて接続が不可と識別されたアクセスネットワークへの接続を可能にする機能を提供する接続機能提供手段を有する。
【００１１】
また、本発明の移動端末は、アクセスネットワークを介して移動体通信ネットワークからサービスを受ける移動端末であって、自機が存在するアクセスネットワークを検知してアクセスネットワークへの接続可否を識別する接続可否識別手段と、接続可否識別手段によりアクセスネットワークへの接続が不可と識別された場合に、アクセスネットワークへの接続を可能にする機能をアクセスネットワーク上に存在するアクセスサービスサーバから取得する接続機能取得手段と、接続機能取得手段により取得された機能を用いて、接続が不可と識別されたアクセスネットワークに接続するアクセスネットワーク接続手段と、を有する。
【００１２】
また、本発明のサーバは、アクセスネットワークを介して移動体通信ネットワークからサービスを受ける移動端末と接続され、アクセスネットワーク上に設けられたサーバであって、移動端末が自機の存在するアクセスネットワークへの接続が不可と識別し、移動端末からアクセスネットワークへの接続を可能にする機能の要求があった場合に、アクセスネットワークへの接続を可能にする機能を移動端末に提供する接続機能提供手段を有する。
【００１３】
また、本発明のネットワーク接続方法は、アクセスネットワークを介して移動体通信ネットワークからサービスを受ける移動端末と、アクセスネットワーク上に設けられたアクセスサービスサーバとを含んで構成されるネットワーク接続システムでのネットワーク接続方法であって、移動端末において、自機の存在するアクセスネットワークを検知してアクセスネットワークへの接続可否を識別する接続可否識別ステップと、移動端末において、接続可否識別ステップによりアクセスネットワークへの接続が不可と識別された場合に、アクセスネットワークへの接続を可能にする機能の提供をアクセスサービスサーバに要求する接続機能要求ステップと、アクセスサービスサーバにおいて、接続機能要求ステップにより要求された接続を可能にする機能の提供を応答する接続機能応答ステップと、移動端末において、接続機能応答ステップによる応答の後にアクセスサービスサーバから接続を可能にする機能を取得する接続機能取得ステップと、移動端末において、接続機能取得ステップにより取得した機能を用いて、接続が不可と識別されたアクセスネットワークに接続するアクセスネットワーク接続ステップと、を有する。
【００１４】
また、本発明のプログラムは、アクセスネットワークを介して移動体通信ネットワークからサービスを受ける移動端末と、アクセスネットワーク上に設けられたアクセスサービスサーバとを含んで構成されるネットワーク接続システムで用いられるプログラムであって、移動端末においてコンピュータを、自機が存在するアクセスネットワークを検知してアクセスネットワークへの接続可否を識別する接続可否識別手段と、接続可否識別手段によりアクセスネットワークへの接続が不可と識別された場合に、アクセスネットワークへの接続を可能にする機能をアクセスサービスサーバから取得する接続機能取得手段と、接続機能取得手段により取得された機能を用いて、接続が不可と識別されたアクセスネットワークに接続するアクセスネットワーク接続手段と、して機能させ、アクセスサービスサーバにおいてコンピュータを、移動端末の要求に応じて接続が不可と識別されたアクセスネットワークへの接続を可能にする機能を提供する接続機能提供手段として機能させる。
【００１５】
また、本発明の記録媒体は、上記のプログラムを記録したコンピュータ読み取り可能な記録媒体である。
【発明の効果】
【００１６】
本発明によれば、移動体通信網において、移動端末が接続できないエリアに存在した場合でも、アクセスネットワークへの接続性を高め、継続してサービスを受けることができるネットワーク接続システム、移動端末、サーバ等が提供される。
【発明を実施するための最良の形態】
【００１７】
図１に示すように、本発明が適用されるネットワーク接続システム１は、移動体通信ネットワーク２に存在するサービスエージェント３からアクセスネットワーク４を介してサービスを受ける移動端末７と、アクセスネットワーク２上に設けられたアクセスサービスサーバ５とを含んで構成される。
【００１８】
アクセスサービスサーバ５は、接続機能提供手段６を有する。接続機能提供手段６は、移動端末７が接続不可と識別されたアクセスネットワークへの接続を可能にする機能を移動端末７の要求に応じて提供する。
【００１９】
移動端末７は、接続可否識別手段８と、接続機能取得手段９と、アクセスネットワーク接続手段とを有する。接続可否識別手段８は、自機が存在するアクセスネットワークを検知して該アクセスネットワークへの接続可否を識別する。接続機能取得手段９は、接続可否識別手段８によりアクセスネットワークへの接続が不可と識別された場合に、該アクセスネットワークへの接続を可能にする機能をアクセスサービスサーバ５から取得する。アクセスネットワーク接続手段１０は、接続機能取得手段９により取得された機能を用いて、接続が不可と識別されたアクセスネットワークへの接続を行う。
【００２０】
このように、本発明では、移動端末が自機の存在するアクセスネットワークの接続可否を識別し、接続できない場合にアクセスサービスサーバから接続機能を取得し、該接続機能を用いてアクセスネットワークに接続する。このため、移動端末が接続できないエリアに存在した場合でも、アクセスネットワークへの接続性を高め、継続してサービスを受けることができる。
【００２１】
以下、図２から図４を参照しながら、本発明の実施形態についてさらに詳細に説明する。
【００２２】
図２は、本実施形態のネットワーク接続システムの構成図を示したものである。本実施形態のネットワーク接続システムは、移動体通信網２０と、アクセスネットワーク６０及び７０と、移動端末１１及び１２から構成される。
【００２３】
移動体通信網２０は、管理サーバ２１、ＩＭＳ網３０、ＩＰ網４０、及び３Ｇ網５０を有して構成される。管理サーバ２１は、移動体通信網２０に所属する加入者の加入者情報、サービス情報、位置情報等を管理する。ＩＭＳ網３０は、認証サーバ３１、サービスエージェント３２、コントロールサーバ３３を有して構成される。また、ＩＰ網４０は、認証サーバ４１及びサービスエージェント４２を有して構成される。認証サーバ３１及び４１は加入者の認証を行う。サービスエージェント３２及び４２は移動体通信網２０の加入者に対して各種サービスを提供する。コントロールサーバ３３は、コネクションとフロー制御を行う。
【００２４】
アクセスネットワーク６０は、“Ｒａｄｉｏ  Ａｃｃｅｓｓ”であり、アクセスサービスサーバ６１を有する。また、アクセスネットワーク７０は、“ＷＬＡＮ  Ａｃｃｅｓｓ”であり、アクセスサービスサーバ７１を有する。アクセスサービスサーバ６１及び７１は、アクセスネットワークへの接続ができない移動端末に対する認証後に、一時的に接続を可能にするための機能（期限付接続機能）を提供する。
【００２５】
そして、移動端末１１及び１２は、アクセスネットワークの感知（どのアクセスネットワークに存在しているのか）と識別（接続可能か不可か）、及びアクセスサービスサーバとの接続を行う。なお、図２では、移動端末１１はアクセスネットワーク（Ｒａｄｉｏ  Ａｃｃｅｓｓ）６０で接続可能な端末であり、移動端末１２はアクセスネットワーク（ＷＬＡＮ  Ａｃｃｅｓｓ）７０で接続可能な端末である。
【００２６】
従来は図５に示すように、３Ｇ対応の移動端末１１はアクセスネットワーク（ＷＬＡＮ  Ａｃｃｅｓｓ）７０へ接続することができなかった。本発明では、３Ｇ対応の移動端末１１は、アクセスネットワーク（ＷＬＡＮ  Ａｃｃｅｓｓ）７０上のアクセスサービスサーバ７１から期限付接続機能を取得することで、アクセスネットワーク（ＷＬＡＮ  Ａｃｃｅｓｓ）７０上へ接続し、該アクセスネットワークを介してサービスを継続することが可能である。
【００２７】
図３及び図４を参照して、移動端末１１がアクセスネットワーク（Ｒａｄｉｏ  Ａｃｃｅｓｓ）６０からアクセスネットワーク（ＷＬＡＮ  Ａｃｃｅｓｓ）７０に移動した際の動作について説明する。図３は、期限付接続機能のダウンロード実行及び該接続機能の有効期間管理を表したチャート図である。図４は、期限付接続機能のダウンロード実行及びサービス実行を表したチャート図である。
【００２８】
移動端末１１がアクセスネットワーク（Ｒａｄｉｏ  Ａｃｃｅｓｓ）６０のエリアからアクセスネットワーク（ＷＬＡＮ  Ａｃｃｅｓｓ）７０ａのエリアに移動すると、移動端末１１はアクセスネットワーク（ＷＬＡＮ  Ａｃｃｅｓｓ）を検知し、接続が可能か可能でないかを判断する（ステップＳ１）。そして、接続が可能でない場合には、アクセスネットワーク（ＷＬＡＮ  Ａｃｃｅｓｓ）７０ａ上のアクセスサービスサーバ７１ａに期限付接続機能の提供を要求する（ステップＳ２）。
【００２９】
期限付接続機能の提供要求を受けたアクセスサービスサーバ７１ａは、移動端末１１の認証を行うために、ＩＰ網４０上の認証サーバ４１に移動端末１１の認証要求を行う（ステップＳ３）。ＩＰ網の認証サーバ４１において認証できない場合は、移動体通信網２０上の管理サーバ２１に認証要求を行う（ステップＳ４）。
【００３０】
移動体通信網の管理サーバ２１は、移動端末１１の認証ができたならば、ＩＰ網の認証サーバ４１に認証可であることを応答する（ステップＳ５）。そして、ＩＰ網の認証サーバ４１は、認証可であることをアクセスサービスサーバ７１ａに応答する（ステップＳ６）。
【００３１】
認証可の応答を受けたアクセスサービスサーバ７１ａは、移動端末１１に期限付接続機能が提供できる旨を通知（機能の使用期間、料金等）し、その機能をダウンロードするかどうかを移動端末１１のユーザに選択させる（ステップＳ７）。そして、移動端末１１のユーザがダウンロードを選択した場合、移動端末１１はアクセスサービスサーバ７１ａから期限付接続機能をダウンロードし、自動インストールを実行する（ステップＳ８）。
【００３２】
移動端末１１から期限付接続機能のダウンロードが実行されると、アクセスサービスサーバ７１ａは、移動端末１１が期限付接続機能をダウンロードした時間をＩＰ網の認証サーバ４１に報告する（ステップＳ９）。報告を受けた認証サーバ４１は、移動端末１１が期限付接続機能をダウンロードした日時を移動体通信網の管理サーバ２１に報告する（ステップＳ１０）。報告を受けた管理サーバ２１は、期限付接続機能のダウンロード日時をサービス情報として管理する（ステップＳ１１）。
【００３３】
他方、認証サーバ４１は、ＩＰ網４０上のサービスエージェント４２に対して、移動端末情報と期限付接続機能の有効期間を報告する（ステップＳ１２）。報告を受けたサービスエージェント４２は、移動端末情報と期限付接続機能の有効期間を保存する（ステップＳ１３）。
【００３４】
移動端末１１に期限付接続機能の自動インストール完了（ステップＳ２１）後、移動端末１１からサービスの要求を行うと、アクセスネットワーク（ＷＬＡＮ  Ａｃｃｅｓｓ）７０ａを経由してＩＰ網のサービスエージェント４２にサービス要求が行われる（ステップＳ２２）。サービス要求を受けたサービスエージェント４２は、要求元の移動端末１１へのサービスが提供可能かを判断し、要求されたサービスが提供可能であれは移動端末１１にサービスを提供する（ステップＳ２５）。要求されたサービスが提供できない場合には、移動端末１１の認証情報から別の網（ＩＭＳ網３０）のサービスエージェント３２にサービス要求を行い（ステップＳ２３）、ＩＰ網のサービスエージェント３経由でサービスを提供する（ステップＳ２４）。
【００３５】
本実施形態によれば、移動端末がそのアクセスネットワークでの接続機能を保持していない場合、そのアクセスネットワーク上のアクセスサービスサーバから一時的に接続を可能とする機能（期限付接続機能）をダウンロードして自動インストールを行うので、アクセスネットワークへの接続機能がないアクセスネットワーク上に移動した場合でも接続が可能となる。
【００３６】
また、本実施形態によれば、アクセスネットワークから移動体通信網への接続方法を複数保持できるため、接続性の向上、加入者に提供できるサービスの種類の増加、サービスの質の向上が期待できる。
【００３７】
また、本実施形態によれば、移動端末がアクセスネットワークとの接続機能を保持していなくても、アクセスサービスサーバから一時的に接続を可能とする機能（期限付接続機能）をダウンロードしてインストールすることによりアクセスネットワークへの接続機能を持つことができるため、新たにその機能を持つ移動端末を購入しなくてもよく、利用者へのコスト負担が低くなる。
【００３８】
本発明の他の実施形態として、マルチメディアセッションを開始する際の動作について説明する。
【００３９】
移動体通信網２０において、移動端末１１が選択したアクセスネットワークを通してページング／導通可能状態でマルチメディアセッションを開始する。移動端末１１は、選択したアクセスネットワークとの間でコネクションを確立し、ＩＭＳ網３０のコントロールサーバ３３にＩＮＶＩＴＥメッセージを送信する。ＩＮＶＩＴＥメッセージを受信したコントロールサーバ３３はセッションを認可し、アクセスネットワークを経由して移動端末１１に返送する。
【００４０】
また、コントロールサーバ３３は、サービスエージェント３１に対してこのセッションに必要なリソースの予約を要求する。サービスエージェント３１はリソースの予約が可能であれば、このセッションを受け入れたことをコントロールサーバ３３に応答する。コントロールサーバ３３は、サービスエージェント３１からのセッション受け入れ応答により、 ユーザデータの送受信ができるように設定を行う。もし、選択したアクセスネットワークがＷＬＡＮＡｃｃｅｓｓの場合にはＩＰ網の認証サーバ４１経由でＩＭＳ網のコントロールサーバ３３にＩＮＶＩＴＥメッセージを転送し、セッションを開始する。
【００４１】
上記他の実施形態によれば、移動端末がそのアクセスネットワークでの接続機能を保持していない場合、そのアクセスネットワーク上のアクセスサービスサーバから一時的に接続を可能とする機能（期限付接続機能）をダウンロードして自動インストールを行うので、アクセスネットワークへの接続機能がないアクセスネットワーク上に移動した場合でもマルチメディアセッションの開始が可能となる。
【００４２】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００４３】
すなわち、上述した実施形態における移動端末やアクセスサービスサーバは、プログラムの命令によりコンピュータで実行される処理、手段、機能によって動作する。当該プログラムは、コンピュータの各構成要素に指令を送り、先に述べたような所定の処理や機能、例えば、移動端末１１は、自機の存在するアクセスネットワークを検知して接続可否を識別し、接続不可の場合にアクセスサービスサーバ７１から接続機能を取得して、接続不可と識別されたアクセスネットワークに接続する処理を行う。また、アクセスサービスサーバ７１は、移動端末１１からの要求に応じて、接続不可のアクセスネットワークに移動端末１１が接続できるようにする機能を提供する処理を行う。このように、上記実施形態における各処理や手段は、プログラムとコンピュータとが協働した具体的手段によって実現されるものである。
【００４４】
そして、上記実施形態の機能を実現するソフトウェアのプログラムコードを記録したコンピュータ読み取り可能な記録媒体、すなわち記憶メディアを介して、例えば移動端末のコンピュータ（ＣＰＵ）が記憶メディアに格納されたプログラムコードを読み出し実行することによっても、本発明の目的は達成される。また、プログラムは、記録メディアを介さず、通信回線を通じて直接にコンピュータにロードし実行することもでき、これによっても同様に本発明の目的は達成される。
【００４５】
この場合、記憶メディアから読み出された又は通信回線を通じてロードし実行されたプログラムコード自体が前述の実施形態の機能を実現することになる。そして、そのプログラムコードを記憶した記憶メディアは本発明を構成する。
【００４６】
また、プログラムコードを供給するための記憶メディアとしては、例えば、フロッピー（登録商標）ディスク、ハードディスク、光ディスク、光磁気ディスク、ＣＤ−ＲＯＭ、ＣＤ−Ｒ、不揮発性のメモリカード、ＲＯＭ、磁気テープ等を用いることができる。
【図面の簡単な説明】
【００４７】
【図１】本発明の実施形態に係るネットワーク接続システムの構成を示した図である。
【図２】本発明の実施形態に係るネットワーク接続システムを表したネットワーク構成図である。
【図３】本発明の実施形態におけるネットワーク接続処理の流れを示したチャート図である。
【図４】本発明の実施形態におけるネットワーク接続処理の流れを示したチャート図である。
【図５】従来のネットワーク接続システムを表したネットワーク構成図である。
【符号の説明】
【００４８】
１    ネットワーク接続システム
２    移動体通信ネットワーク
３，３２，４２    サービスエージェント
４，６０，７０    アクセスネットワーク
５，６１，７１    アクセスサービスサーバ
６    接続機能提供手段
７，１１，１２    移動端末
８    接続可否識別手段
９    接続機能取得手段
１０    アクセスネットワーク接続手段
２０    移動体通信網
２１    管理サーバ
３０    ＩＭＳ網
３１，４１，５１    認証サーバ
３３    コントロールサーバ
４０    ＩＰ網
５０    ３Ｇ網
【図１】
2009171223.tif 000003
【図２】
2009171223.tif 000004
【図３】
2009171223.tif 000005
【図４】
2009171223.tif 000006
【図５】
2009171223.tif 000007